【手続補正書】
【提出日】平成20年5月23日(2008.5.23)
【手続補正１】
【補正対象書類名】明細書
【補正対象項目名】特許請求の範囲
【補正方法】変更
【補正の内容】
【特許請求の範囲】
【請求項１】  アーク故障検出回路遮断器システムにおいて、
アーク故障の発生時に電流が遮断されて保護される電気回路素子と電線により直列に接続された常閉のライン回路遮断器と、
保護される電気回路素子の電流の時間変化率を検出する検出器と、
その検出器に応答して動作し、電線と接地との間に電気的に接続され、通常閉じられたライン回路遮断器の接地に対して短絡を設定するための閉スイッチとして機能し、検出器が許容された最大の時間変化率を超えた保護される電気回路素子の電流の時間変化率を検出した場合に回路遮断器を開く回路遮断器付勢素子とを具備している回路遮断器システム。
【請求項２】  ライン回路遮断器はリセット可能な回路遮断器である請求項１記載の回路遮断器システム。
【請求項３】  検出器は保護される電気回路素子における磁束の検出器を具備している請求項１記載の回路遮断器システム。
【請求項４】  検出器は変成器を具備している請求項１記載の回路遮断器システム。
【請求項５】  前記付勢素子は検出器の検出器出力信号を供給されるゲートを有するシリコン制御整流器であり、このシリコン制御整流器は保護される電気回路素子における時間に対する電流の変化率が最大の変化率の値を超えていることを検出器が検出した場合に、保護される電気回路素子の電流を短絡し、それによってライン回路遮断器を付勢する請求項１記載の回路遮断器アセンブリ。
【請求項６】  保護される電気回路素子と電線により直列に接続され、アーク故障が発生したときにその電流が遮断される常閉のライン回路遮断器と、
保護される電気回路素子の電流の時間に対する変化率を検出するための、保護される電気回路素子の磁束の検出器を含む検出器とを具備し、その検出器は、
保護される電気回路素子と直列に接続されたワイヤと、
ワイヤを覆って配置された遮蔽体と、
ワイヤの長さに沿って位置する２つの位置の間の遮蔽体における電圧を監視する電圧モニタとを具備し、さらに、
検出器に応答して動作する回路遮断器付勢素子をさらに含んでおり、回路遮断器付勢素子は接地への電線を短絡し、保護される電気回路素子における時間に対する電流の変化率が許容された最大の変化率の値を超えていることを検出器が検出した場合に回路遮断器を開くアーク故障検出回路遮断器システム。
【請求項７】  アーク故障検出回路遮断器システムにおいて、
アーク故障の発生時に電流が遮断されて保護される電気回路素子と直列に接続された常閉のライン回路遮断器と、
保護される電気回路素子の電流の時間変化率を検出する検出器と、
その検出器に応答して動作し、検出器が許容された最大の時間変化率を超えた保護される電気回路素子の電流の時間変化率を検出した場合に回路遮断器を開く回路遮断器付勢素子と、
回路遮断付勢素子と反対の極性で接続され、検出器に応答して動作する第２の回路遮断器付勢素子をさらに含んでおり、第２の回路遮断器付勢素子は保護される電気回路素子における時間に対する電流の変化率が許容された最大の変化率の値を超えていることを検出器が検出した場合に回路遮断器を開く回路遮断器システム。
【請求項８】  第２の回路遮断器付勢素子と回路遮断器付勢素子は反対の極性で接続されている請求項７記載の回路遮断器システム。
【請求項９】  保護される電気回路素子と直列に接続され、アーク故障が発生したときにその電流が遮断される常閉のライン回路遮断器と、
保護される電気回路素子の電流の時間に対する変化率を検出するための、保護される電気回路素子の磁束の検出器を含む検出器と、
検出器の検出器出力信号を供給されるゲートを有し、保護される電気回路素子における時間に対する電流の変化率が許容される最大の変化率を超えていることを検出器出力によって通報された場合に、保護される電気回路素子の電流を短絡し、それによってライン回路遮断器を付勢するシリコン制御整流器と、
前記シリコン制御整流器と反対の極性で接続され、検出器に応答して動作する第２のシリコン制御整流器とを具備し、第２のシリコン制御整流器は保護される電気回路素子における時間に対する電流の変化率が許容された最大の変化率の値を超えていることを検出器が検出した場合にライン回路遮断器を開く回路遮断器システム。
【請求項１０】  検出器は変成器を具備している請求項９記載の回路遮断器システム。
【請求項１１】  ライン回路遮断器と保護される電気システムとの間に電線が存在し、シリコン制御整流器が前記電線とアースとの間に接続されている請求項９記載の回路遮断器システム。
【請求項１２】  第２のシリコン制御整流器とシリコン制御整流器は反対の極性で接続されている請求項９記載の回路遮断器システム。
【請求項１３】  アーク故障検出回路遮断器システムにおいて、
アーク故障の発生時に電流が遮断されて保護される電気回路素子と直列に接続された常閉のライン回路遮断器と、
保護される電気回路素子の電流の時間変化率を検出する検出器とを具備し、検出器は、保護される電気回路素子における磁束の検出器を具備し、検出器は、
保護される電気回路素子と直列に接続されたワイヤと、
ワイヤを覆って配置された遮蔽体と、
ワイヤの長さに沿って位置する２つの位置の間の遮蔽体における電圧を監視する電圧モニタとを具備しており、さらにアーク故障検出回路遮断器システムは、
検出器の検出器出力信号を供給されるゲートを有し、保護される電気回路素子における時間に対する電流の変化率が許容される最大の変化率を超えていることを検出器出力によって通報された場合に、保護される電気回路素子の電流を接地に短絡し、それによってライン回路遮断器を付勢するシリコン制御整流器を具備している回路遮断器システム。
【請求項１４】  アーク故障検出回路遮断器システムにおいて、
アーク故障の発生時に電流が遮断されて保護される電気回路素子と直列に接続された常閉のライン回路遮断器と、
保護される電気回路素子の電流の時間変化率を検出する検出器と、
その検出器に応答して動作し、検出器が許容された最大の時間変化率を超えた保護される電気回路素子の電流の時間変化率を検出した場合に回路遮断器を開く回路遮断器付勢素子と、
保護される電気回路素子における電流の時間に対する変化率の第２の検出器と、
第２の検出器に応答して動作する第２の回路遮断器付勢素子とを具備し、第２の回路遮断器付勢素子は保護される電気回路素子における時間に対する電流の変化率が許容された最大の変化率の値を超えていることを検出器が検出した場合に回路遮断器を開く回路遮断器システム。
【請求項１５】  第２の回路遮断器付勢素子と回路遮断器付勢素子は反対の極性で接続されている請求項１４記載の回路遮断器システム。
【請求項１６】  保護される電気回路素子と直列に接続され、アーク故障が発生したときにその電流が遮断される常閉のライン回路遮断器と、
保護される電気回路素子の電流の時間に対する変化率を検出するための、保護される電気回路素子の磁束の検出器を含む検出器と、
検出器の検出器出力信号を供給されるゲートを有し、保護される電気回路素子における時間に対する電流の変化率が許容される最大の変化率を超えていることを検出器出力によって通報された場合に、保護される電気回路素子の電流を短絡し、それによってライン回路遮断器を付勢するシリコン制御整流器と、
保護される電気回路素子中の磁束の検出器を具備しており、保護される電気回路素子における電流の時間に対する変化率の第２の検出器と、
第２の検出器に応答して動作する第２のシリコン制御整流器とを具備し、第２のシリコン制御整流器は保護される電気回路素子における時間に対する電流の変化率が許容された最大の変化率の値を超えていることを第２の検出器が検出した場合に回路遮断器を開く回路遮断器システム。
【請求項１７】  第２のシリコン制御整流器とシリコン制御整流器は反対の極性で接続されている請求項１６記載の回路遮断器システム。
【請求項１８】  アーク故障検出回路遮断器システムにおいて、
アーク故障の発生時に電流が遮断されて保護される電気回路素子と直列に接続された常閉のライン回路遮断器と、
保護される電気回路素子の電流の時間変化率を検出する検出器とを具備し、検出器は変成器を具備しており、
検出器の検出器出力信号を供給されるゲートを有し、保護される電気回路素子における時間に対する電流の変化率が許容される最大の変化率を超えていることを検出器出力によって通報された場合に、保護される電気回路素子の電流を短絡し、それによってライン回路遮断器を付勢するシリコン制御整流器と、
前記シリコン制御整流器と反対の極性で接続され、保護される電気回路素子における時間に対する電流の変化率が許容される最大の変化率の値を超えていることを検出器出力が通報した場合に、保護される電気回路素子の電流を短絡し、それによってライン回路遮断器を付勢する第２のシリコン制御整流器とを具備している検出回路遮断器システム。